(57)【要約】【課題】  汎用の充電器や自作の充電器による二次電池の充電をできないようにする。【解決手段】  二次電池１に、識別信号を発生する信号発生手段４と、電池セル２又は信号発生手段４を出力端子６、７に切り替え接続する切り替え手段５とを有し、切り替え手段５により出力端子６、７を信号発生手段４に接続して識別信号を送出し、充電器１０が識別信号を判別して充電を開始したことを条件に出力端子６、７を電池セル２に切り替える。充電器１０に、識別信号を検出し識別する信号検出手段１４と、充電回路又は信号検出手段を充電端子に切り替え接続する切り替え手段１３とを有し、切り替え手段１３により、充電端子１１、１２を信号検出手段１４に接続して識別信号を充電端子から入力し判別して充電端子１１、１２を充電回路１５に切り替える。【選択図】      図１
2005130584.tif 000002
【特許請求の範囲】
【請求項１】
電池固有の識別信号により回路の切り替えを行って充電器による充電を可能とする二次電池であって、前記識別信号を発生する信号発生手段と、電池セル又は前記信号発生手段を出力端子に切り替え接続する切り替え手段とを有し、前記切り替え手段は、出力端子を前記信号発生手段に接続して前記識別信号を前記出力端子から送出し、前記充電器が前記識別信号を判別して充電を開始したことを条件に、前記出力端子を前記電池セルに切り替えて接続することにより、充電を可能とするように構成したことを特徴とする二次電池。
【請求項２】
電池固有の識別信号により回路の切り替えを行って二次電池の充電を可能とする充電器であって、前記識別信号を検出し識別する信号検出手段と、充電回路又は前記信号検出手段を充電端子に切り替え接続する切り替え手段とを有し、前記切り替え手段は、充電端子を前記信号検出手段に接続して前記識別信号を前記充電端子から入力し判別して前記充電端子を前記充電回路に切り替えて接続することにより、充電を可能とするように構成したことを特徴とする充電器。
【請求項３】
前記識別信号は、電流パルスの信号であることを特徴とする請求項１記載の二次電池又は請求項２記載の充電器。
【発明の詳細な説明】
【技術分野】
【０００１】
本発明は、電池固有の識別信号により回路の切り替えを行って充電を可能とする二次電池及び充電器に関する。
【背景技術】
【０００２】
従来より、二次電池に対してその充電を行うための充電器は、専用のものが使用されるようになっており、専用の充電器により充電を行うことが必須となっている（例えば、特許文献１参照）。このような専用の充電器は、価格が割高であり、また単品で入手するには難しく入手性に困難さがあることから、専用充電器を使用せず、汎用の充電器や自作の充電器などを使用して二次電池の充電を行う場合がある。
【特許文献１】特開平１１−２７８６９号公報
【発明の開示】
【発明が解決しようとする課題】
【０００３】
しかし、汎用の充電器や自作の充電器などを使用して二次電池の充電を行うことは、二次電池の使用上極めて悪い影響を及ぼし、発煙や発火などを招くこともあり、種々の障害が発生する。また、専用の充電器において、所定の二次電池かどうかを判別するためには、例えばＩＤ抵抗やＩＤ用メモリ等を二次電池に搭載し、二次電池に専用単価の搭載が必要であった。
【課題を解決するための手段】
【０００４】
本発明は、上記課題を解決するものであって、汎用の充電器や自作の充電器による二次電池の充電をできないようにするものである。
【０００５】
そのために本発明は、電池固有の識別信号により回路の切り替えを行って充電器による充電を可能とする二次電池であって、前記識別信号を発生する信号発生手段と、電池セル又は前記信号発生手段を出力端子に切り替え接続する切り替え手段とを有し、前記切り替え手段は、前記信号発生手段を出力端子に接続して前記識別信号を前記出力端子から送出し、前記充電器が前記識別信号を判別して充電を開始したことを条件に前記電池セルを前記出力端子に接続を切り替えることにより、充電を可能とするように構成したことを特徴とするものである。
【０００６】
電池固有の識別信号により回路の切り替えを行って二次電池の充電を可能とする充電器であって、前記識別信号を検出し識別する信号検出手段と、充電回路又は前記信号検出手段を充電端子に切り替え接続する切り替え手段とを有し、前記切り替え手段は、前記信号検出手段を充電端子に接続して前記識別信号を前記充電端子から入力し判別して前記充電回路に接続を切り替えることにより、充電を可能とするように構成したことを特徴とするものである。
【発明の効果】
【０００７】
本発明によれば、電池固有の識別信号により回路の切り替えを行って充電器による充電を可能とする二次電池であって、識別信号を発生する信号発生手段と、電池セル又は信号発生手段を出力端子に切り替え接続する切り替え手段とを有し、切り替え手段は、出力端子を信号発生手段に接続して識別信号を出力端子から送出し、充電器が識別信号を判別して充電を開始したことを条件に出力端子を電池セルに切り替えて接続することにより、充電を可能とするように構成したので、汎用の充電器や自作・改造した充電器を使用して二次電池が充電されるのを防ぐことができる。
【０００８】
また、電池固有の識別信号により回路の切り替えを行って二次電池の充電を可能とする充電器であって、識別信号を検出し識別する信号検出手段と、充電回路又は信号検出手段を充電端子に切り替え接続する切り替え手段とを有し、切り替え手段は、充電端子を信号検出手段に接続して識別信号を充電端子から入力し判別して充電端子を充電回路に切り替えて接続することにより、充電を可能とするように構成したので、対象外の二次電池を充電するのを防ぐことができる。したがって、二次電池を所定の定格で安全に使用することができる。
【発明を実施するための最良の形態】
【０００９】
以下、本発明の実施の形態を図面を参照しつつ説明する。図１は本発明に係る二次電池及び専用充電器の実施の形態を示す図であり、１は二次電池、２は電池セル、３は保護回路、４は電流パルス発生回路、５は出力切替回路、６、７は出力端子、１０は専用充電器、１１、１２は充電端子、１３は充電切替回路、１４はパルス検出回路、１５は充電回路、１６は電源回路を示す。
【００１０】
図１において、二次電池１は、内部に電池セル２、その電池セル２を保護するための保護回路３、その後段に電池固有の識別信号として所定の電流パルスを発生する電流パルス発生回路４、出力端子６、７を電池セル２又は電流パルス発生回路４に切り替えて接続する出力切替回路５を搭載したものである。
【００１１】
出力切替回路５は、電池セル２からの出力を出力端子６（＋）、７（−）を経由して負荷に給電するように電池セル２と出力端子６（＋）との間を接続するが、出力端子６（＋）、７（−）に充電器が接続されたことを検出すると、出力端子６（＋）、７（−）を電流パルス発生回路４に接続する。そして、電流パルスを出力端子６（＋）、７（−）を経由して送出し、充電器が電流パルスの識別信号を判別して充電を開始すると、出力端子６（＋）、７（−）を電池セル２に接続するように切り替えを行うものである。出力端子６（＋）、７（−）に専用の充電器や負荷が接続されたか否かは、例えばマイクロスイッチ等の機械的手段を用いて認識することができ、その他の汎用充電器や自作の充電器が接続されたときには、直ちに充電が開始されるので、充電電流を検出することにより認識することができる。また、出力切替回路５において、専用の充電器からの電流パルスの識別信号の受付、充電開始信号を検出することにより専用の充電器を認識し、電池セル２に接続を切り換えるようにしてもよい。
【００１２】
専用充電器１０は、電流パルス発生回路４から発生され送信されてくる電流パルスを検出し識別信号を判別するパルス検出回路１４、充電回路１５、電源回路１６、充電端子１１（＋）、１２（−）をパルス検出回路１４又は充電回路１５と電源回路１６に切り替え接続する充電切替回路１３を搭載し、さらに充電端子１１（＋）、１２（−）に二次電池１が接続されたことを認識する手段、例えばマイクロスイッチ等の機構的手段を有するものである。
【００１３】
充電切替回路１３は、充電端子１１（＋）、１２（−）に二次電池１が接続されたことを認識すると、充電端子１１（＋）、１２（−）をパルス検出回路１４に接続して電流パルス発生回路４から発生され送信されてくる電流パルスを入力し、パルス検出回路１４により識別信号が判別されることにより、充電端子１１（＋）、１２（−）を充電回路１５及び電源回路１６に接続するように切り替えを行うものである。
【００１４】
上記のように専用充電器１０においては、二次電池１が接続されたときに、まず、内部に搭載されたパルス検出回路１４で電流パルスを検出して識別信号を判別するように充電切替回路１３の切り替えを行うと共に、他方、二次電池１においては、充電器が接続されたときに、内部に搭載された電流パルス発生回路４から識別信号として固有の電流パルスを発生して出力端子（＋）、７（−）へ送出するように出力切替回路５の切り替えを行う。そして、専用充電器１０においては、パルス検出回路１４で二次電池１の固有の電流パルスを検出し識別信号を判別することにより、充電切替回路１３がパルス検出回路１４から充電回路１５と電源回路１６に切り替え接続を行う。また、二次電池１においては、専用充電器１０の充電切替回路１３によるパルス検出回路１４から充電回路１５と電源回路１６への切り替えを検出して、出力切替回路５が電流パルス発生回路４から電池セル２に切り替え接続を行う。これらの切り替えにより充電回路１５と電源回路１６による電池セル２の充電が実行される。
【００１５】
図２は二次電池を充電器にセットしたときの動作を説明するための図である。二次電池１を充電器へセットすると、二次電池は、例えば図２に示すような０．５秒の間隔をおいて１秒の長さで２発の電流パルスを送出する。充電器が専用充電器である場合には、この電流パルスを検出して判別することにより、当該専用充電器により充電可能な二次電池として認識し、専用充電器は、所定の充電を開始する。
【００１６】
なお、本発明は、上記実施の形態に限定されるものではなく、種々の変形が可能である。例えば上記実施の形態では、０．５秒の間隔で１秒の長さの電流パルスを送出したが、二次電池の識別・判別が可能とする信号であれば他の形態の信号であってもよい。したがって、電流パルスの長さや間隔、数は適宜選択し設定すればよいことは勿論であり、長さや間隔、数を組み合わせ、さらに複数のパターンを認識できるようにしてもよいし、所定周波数のパルス信号を送出したりしてもよい。このことにより、複数の二次電池が充電可能とする専用充電器を提供することもできる。
【図面の簡単な説明】
【００１７】
【図１】本発明に係る二次電池及び専用充電器の実施の形態を示す図である。
【図２】二次電池を充電器にセットしたときの動作を説明するための図である。
【符号の説明】
【００１８】
１…二次電池、２…電池セル、３…保護回路、４…電流パルス発生回路、５…出力切替回路、６、７…出力端子、１０…専用充電器、１１、１２…充電端子、１３…充電切替回路、１４…パルス検出回路、１５…充電回路、１６…電源回路
【図１】
2005130584.tif 000003
【図２】
2005130584.tif 000004